(57)【特許請求の範囲】
【請求項１】
第１の無線電話から第２の無線電話へと情報を転送するための装置において、前記第１の無線電話と通信する第１の通信手段と、前記第２の無線電話と通信する第２の通信手段と、前記第１の通信手段と前記第２の通信手段との間で通信し且つ前記第２の無線電話の制御の下で前記第１の無線電話から情報を読み出し該情報を前記第２の無線電話へと送信するように作動しうるデータ転送手段とを備え、該データ転送手段は、前記第１の無線電話および第２の無線電話から型情報を読み取り該型情報がコンパチブルでない場合には、それらの電話の間での情報の転送を禁止する電話比較手段を含むことを特徴とする装置。
【請求項２】
前記データ転送手段は、前記第２の無線電話により情報が正しく記憶されたことを確認し、もし、それが正しく記憶された場合には、前記第１の無線電話から該情報の少なくともあるものを削除するように作動しうる請求項１に記載の装置。
【請求項３】
前記データ転送手段は、前記第２の無線電話が前記第２の通信手段へ接続されるときに、前記第２の無線電話のディスプレイを制御する表示制御手段を備える請求項１または２に記載の装置。
【請求項４】
前記情報は、ユーザ定義コンフィギュレーション情報を含む請求項１または２または３に記載の装置。
【請求項５】
前記情報は、識別情報を含む請求項１から４のうちのいずれか１項に記載の装置。
【請求項６】
第１の無線電話から第２の無線電話へと情報を転送するための方法において、前記第１の無線電話からの転送開始信号を受信する段階と、前記第１の無線電話から情報を読み取る段階と、該情報を前記第２の無線電話へと送信して該第２の無線電話に記憶させる段階と、前記第１の無線電話および第２の無線電話から型情報を読み取る段階と、該型情報がコンパチブルでない場合には、それらの電話の間での情報の転送を禁止する段階とを含むことを特徴とする方法。
【請求項７】
前記情報が前記第２の無線電話によって正しく記憶されたことを確認し、該情報が正しく記憶されたことを確認した場合には、前記第１の無線電話から前記情報の少なくともあるものを削除する段階を含む請求項６に記載の方法。
【請求項８】
前記第２の無線電話のディスプレイを制御する段階を含む請求項７に記載の方法。
【発明の詳細な説明】
【０００１】
【発明の属する技術分野】
本発明は、第１の無線電話から第２の無線電話へと情報を転送するための装置および方法に関するものである。
【０００２】
【従来の技術】
無線電話は、普通、コンフィギュレーション情報を記憶するプログラム可能なメモリを有している。コンフィギュレーション情報としては、通常、特に、次のようなものがある。
１. ユーザ定義情報−例えば、短縮ダイヤルのための電話番号リストおよび電話の種々な特徴のユーザの好みによるセッティングを定める選択データ。
２. 電話識別情報−例えば、電話のＥＳＮ（電子シリアルナンバー）、電話番号、Ａ−キー、およびネットワークに対して電話を識別するためのその他のセキュリティ情報。
電話が破損しユーザがその電話を修理に出す場合には、そのユーザに代わりの代替電話を提供するのが望ましい。理想的には、その代替電話は、修理に出した電話と同様に構成されているべきである。すなわち、その代替電話は、ユーザの短縮ダイヤル情報および選択情報を有しているべきであり、また、ユーザが以前と同様に電話し電話を受けることができるようにアイデンティティをネットワークに対して与えるものであるべきである。
【０００３】
従来の方法は、いくつかの欠点を有している。従来の一つの方法として、初めに電話をプログラミングするのに使用される型のコンピュータを使用するものがあった。この場合には、普通、キーボード、モニターおよび電話との接続のためのインターフェイスが設けられている。故障している電話をコンピュータに接続する。それから、コンピュータのソフトウエアを使用して、その電話のコンフィギュレーションを読み取り、読み取ったコンフィギュレーションをコンピュータに記憶させる。それから、代替電話をコンピュータに接続し、コンフィギュレーション情報をコンピュータのメモリからその代替電話へとコピーする。このような従来の方法は、その装置が普通高価であり、使用が難しいという欠点を有している。また、このようなシステムは、セキュリティの点で大きな問題があった。すなわち、そのコンピュータを使用して、そこに記憶されているコンフィギュレーション情報を、多数の他の電話へとコピーすることにより、故障している電話と同じコンフィギュレーションを２つ以上の電話へと不正に与えることが可能である。したがって、ディーラーへこのようなコンフィギュレーションを配給するのは望ましくないかもしれない。
【０００４】
別の従来の方法（米国特許第５０６２１３２号明細書参照）として、電話にあるソフトウエアを組み込み、そのソフトウエアにより、そこに接続される別の電話へと自分のコンフィギュレーションをコピーできるようにするものがあった。しかし、このような方法は、そのようなソフトウエアを備えていないような既存の電話には適用できない。
【０００５】
【課題を解決するための手段】
本発明の一つの特徴によれば、第１の無線電話から第２の無線電話へ情報を転送する装置であって、前記第１の無線電話と通信する第１の通信手段と、前記第２の無線電話と通信する第２の通信手段と、前記第１の通信手段と前記第２の通信手段との間で通信し且つ前記第２の無線電話の制御の下で作動し得て前記第１の無線電話から情報を読み出して該情報を前記第２の無線電話へと送信するデータ転送手段とを備える装置が提供される。
【０００６】
データ転送手段は、情報が前記第２の無線電話によって正しく記憶されたことを確認し且つ正しく記憶されたことを確認した場合には、第１の無線電話から情報の少なくともあるものを削除するように作動しうるものであるのが好ましい。このようにする一つの目的は、同時に同じアイデンティティを有する２つの電話が生じてしまう可能性を避けることである。このようなプロセスが繰り返されるのが好ましい。電話の動作にとって必須な種々な情報項目（例えば、ネットワークへの電話の接続）は、その項目毎に転送されるのが、最も好ましい。データ転送手段は、第１の無線電話のすべてのコンフィギュレーション情報を記憶するには不十分なメモリを有しているのが適当である。
【０００７】
データ転送手段は、第２の無線電話が第２の通信手段へ接続されるとき、第２の無線電話のディスプレイを制御する表示制御手段を備えるのが好ましい。
【０００８】
その情報は、ユーザ定義コンフィギュレーション情報および／または識別情報を含むのが好ましい。
【０００９】
データ転送手段は、第１の無線電話および第２の無線電話から型またはモデル情報を読み出して、その型またはモデル情報がコンパチブルでない場合には、それら無線電話の間での情報の転送を禁止する電話比較手段を備えるのが好ましい。
【００１０】
本発明のもう一つ別の特徴によれば、第１の無線電話から第２の無線電話へ情報を転送する方法であって、前記第１の無線電話から転送開始信号を受信し、前記第１の無線電話から情報を読み出し、該情報を前記第２の無線電話へ送信して該第２の無線電話によって記憶されるようにする方法が提供される。
【００１１】
本方法は、さらに、情報が第２の無線電話によって正しく記憶されたことを確認し、正しく記憶されたことが確認された場合、第１の無線電話からその情報の少なくともあるものを削除する段階を含むのが好ましい。
【００１２】
本方法は、また、第２の無線電話のディスプレイを制御する段階を含むのが好ましい。
【００１３】
本方法は、また、第１の無線電話および第２の無線電話から型情報を読み出して、該型情報がコンパチブルでない場合には、それら無線電話での間での情報の転送を禁止する段階を含むのが好ましい。
【００１４】
【発明の実施の形態】
次に、添付図面に基づいて、本発明の実施例について、本発明をより詳細に説明する。
【００１５】
図１は、２つの携帯無線電話２および３に接続された本発明によるデータ転送装置（ＤＴＵ）１を示している。各電話は、ディスプレイ２０、３０およびキーパッド２１、３１を備えたユーザインターフェイスを有している。これらディスプレイおよびキーパッドは、プロセッサ２２、３２に接続されており、プロセッサは、メモリ２３、３３および標準通信バスポート２４、３４と通信する。このような電話技術は、よく知られているところである。
【００１６】
これら電話は、それらの通信ポートおよびケーブル４、５を介してデータ転送装置１に接続される。データ転送装置は、メモリ１１、１２と通信するプロセッサ１０と、ケーブル４、５に接続される２つの通信ポート１３、１４とを有している。このデータ転送ユニットは、キーパッドもディスプレイも有していない。メモリは、データ転送装置による読み出し専用であってプロセッサ１０のためのオペレーティング命令、例えば、データ転送装置がサービスしうる電話のためのメモリマップ等を記憶している主不揮発性メモリ（例えば、ＲＯＭまたはＥＰＲＯＭにおける）と、データ転送装置によって読み出し書き込みのできる副揮発性メモリ（例えば、ＲＡＭにおいて）とを備える。
【００１７】
データ転送装置は、電話ディーラーの構内で使用されうる。ユーザが故障した電話をディーラーへ返すとき、保証付きでも、保証無しでも、ディーラーは、そのデータ転送装置を使用して、その故障した電話からコンフィギュレーション情報を代替電話へと転送させることができる。図２および図３は、このような手順の各ステップを示している。
【００１８】
ディーラーは、先ず、故障した電話（図１において参照番号２で示す）をケーブル４を介してデータ転送装置に接続する。データ転送装置は、その電話と通信し、電話のメモリに記憶されていた情報を使用して、データ転送装置は、その故障電話のモデルを特定して、それを副メモリに記憶する。もし、その故障電話が（データ転送装置の主メモリにおける情報と比較することにより）このデータ転送装置のサービスを受けうる型またはモデルであると分かった場合には、このデータ転送装置は、その電話のプロセッサと通信して、電話のユーザインターフェイスを制御し、その電話のキーパッドからの情報を受けて、情報をその電話のディスプレイへ送信する。このような制御により、データ転送装置は、ディーラーが、電話のユーザインターフェイスを使用して電話のメモリにおける保証情報（例えば、記憶された電話の保証期限）について質問することができるようにする。データ転送装置は、自分自身のユーザインターフェイスを有さない方が好ましい。別の仕方としては、データ転送装置は、電話に既存の、通常はディスエーブルされているようなソフトウエアにより、その保証情報に質問できるようにすることもできる。
【００１９】
もし、ディーラーがその保証情報で満足する場合には、ディーラーは、その代替電話（図１において参照番号３で示す）をデータ転送装置の他方のポートへ接続する。データ転送装置は、その代替電話と通信し、電話のメモリに記憶された情報を使用して、その代替電話のモデルを特定する。もし、その代替電話が故障電話と代替性（コンパチブル）のあるモデル（例えば、同じモデルまたは上級のモデル）であると分かった場合には、データ転送装置は、転送プロセスを開始する。データ転送装置は、故障電話のユーザインターフェイスとの通信を断ち、その代替電話のユーザインターフェイスを介しての制御を行う（または、その代替電話に既存のソフトウエアをイネーブルする）。それから、その代替電話のユーザインターフェイスがイネーブルされ、故障電話からその代替電話への情報の転送を制御する。これは、前述した米国特許第５０６２１３２号のシステムに優る大きな効果を有している。故障電話のユーザインターフェイスは、故障しているかもしれず、この場合には、故障電話を使用して転送を制御することは不可能である。本発明のこの実施例のシステムは、このような問題を解消している。
【００２０】
ディーラーは、代替電話のユーザインターフェイスを使用して、故障電話からその代替電話へのコンフィギュレーション情報の転送を開始する。代替電話は、既にコンフィギュレーションされているか否かを指示するフラッグをそのメモリに有するモデルであるかもしれない。その場合には、データ転送装置は、転送を開始する命令を受けるとき、そのフラッグをチェックし、もし、そのフラッグがセットされている場合には、情報の転送を拒否し（且つその代替電話にあるメッセージが表示されるようにする）し、その電話のコンフィギュレーションが変更されないようにする。これにより、電話が不意に再コンフィギュレーションされてしまうようなことを避けることができ、また、ディーラーが盗まれた電話、または故障電話を再流通させてしまうようなことを防止できる。
【００２１】
次に、データ転送装置は、故障電話からその代替電話への情報の転送プロセスを開始する。故障電話のメモリマップを使用して、データ転送装置は、故障電話のメモリに質問し、その電話のメモリからコンフィギュレーションを自身の副メモリへとコピーする。それから、データ転送装置は、その情報を、その代替電話の対応するメモリ位置へと、その電話のメモリマップを使用して書き込む。その情報が書き込まれたとき、データ転送装置は、その代替電話からその情報を読み戻して、その情報が正しく記憶されたことを検査し、必要な場合には、その情報の再記憶を行わせる。それから、データ転送装置は、故障電話のメモリからその転送された情報を消去して、その故障電話がもはや使用され得ないようにする。
【００２２】
データ転送装置と電話とは、協動して、情報のすべて、または、あるものを暗号化形式にて転送するようにすることもできる。例えば、電話に、例えば、データ転送手段による要求に応答して、故障電話のメモリにアクセスし、要求された情報を読み取り、それを暗号化し、それをデータ転送手段へ送信するための暗号化手段と、データ転送手段がその代替電話に情報を記憶すべきときに、該情報の解読を行うための解読手段とを設けることができる。
【００２３】
セキュリティ上の理由からは、データ転送装置は、同じ電話を作る（クローニングする）のに、すなわち、同じアイデンティティを同時に有する２つの電話を作り出すのに、使用され得ないようにするのが望ましい。したがって、情報が転送されたときには、データ転送ユニットは、その副メモリからその情報を消去する。また、データ転送装置は、故障電話のメモリのブロック毎に、前述したようなプロセスを繰り返すことにより、２つ以上のステップにてコンフィギュレーション情報を転送しうる。こうすることにより、転送プロセスが完了する前に電話がデータ転送装置から切り離されたとしても、その代替電話は、その故障電話のクローンではないようにすることができる。電話の動作に必須な種々な識別情報は、ブロック毎に転送されるのが好ましい。例えば、相続くブロックは、電話のＡ−キーの相続く部分を含みうる。データ転送装置の副メモリは、情報をいくつかのステップに分けて転送しなければならないようにするために、故障電話のコンフィギュレーション情報のすべて（または、少なくとも電話識別情報）を記憶するには不十分なものとして構成しておくことができる。
【００２４】
もう一つ別の仕方としては、データ転送装置は、故障電話から直接に、その情報を副メモリに記憶させることなく、代替電話へと転送することができる。
【００２５】
コンフィギュレーション情報のすべてを１つのブロックにて転送するのは、転送プロセス中にデータ転送装置へのパワーを切断する場合には、２つの電話の各々がコンフィギュレーション情報の部分を有するようなことがないという点で効果がある。しかしながら、このようなシステムは、セキュリティの点で劣る。部分的にコンフィギュレーションされている電話の問題点を解消するために、多重ステップによる転送プロセスを使用する場合には、データ転送装置には、そこに接続された電話が部分的にコンフィギュレーションされたものであることを検出してから転送プロセスを行うようにする手段が設けられるとよい。
【００２６】
転送が完了したとき、データ転送装置は、その代替電話のディスプレイにあるメッセージを表示させ、故障電話にパワーダウンさせる。
【００２７】
セキュリティ保証をより高めるために、電話は、データ転送装置によってセットされるが、直接的には転送されないような他のコンフィギュレーション情報を記憶するとよい。例えば、転送が完了するとき、データ転送装置は、故障電話に“置き換え”フラッグをセットしうる。各電話は、それ自身独特な識別番号（例えば、そのＥＳＮ）と共に、“ルートアイデンティティ”をも記憶しうる。この場合において、データ転送装置が転送を行うとき、このデータ転送装置は、その故障電話の独特のアイデンティティに対して、その故障電話の“ルートアイデンティティ”をセットすることができ、または、もし、その故障電話自身が別の電話の代替電話であった場合には、そのコンフィギュレーション情報の元のソースを追跡できるように、その故障電話自身の“ルートアイデンティティ”に対して、その故障電話の“ルートアイデンティティ”をセットすることができる。電話の動作に必須な情報が転送プロセス中に故障電話から消去される場合には、その故障電話のシリアルナンバーまたはアイデンティティ（例えば、ＥＳＮ）に関する情報は、その電話が修理サービスを受ける場合の助けとするためにそのメモリ内に消去されずに、または暗号化されたままで残されると有効である。
【００２８】
データ転送装置は、故障していない電話から情報を転送するのに使用されうる。
【００２９】
前述の説明から当業者には、本発明の範囲内において種々な変形態様が可能であることは明らかであろう。本発明は、本請求の範囲に記載された発明に関するか否かに関係なく、または、本請求の範囲に記載された発明によって解決せんとしている問題のいくつかを解消するものであるか否かに関係なく、ここに明示的に、または示唆的に記載した新規な特徴またはそれら特徴の組合せおよびそれらの普遍化したものを含むものである。
【図面の簡単な説明】
【図１】２つの電話に結合された本発明による装置を示す概略図である。
【図２】図１の装置の動作を例示するフローチャートの前段部分を示す図である。
【図３】図１の装置の動作を例示するフローチャートの後段部分を示す図である。
【符号の説明】
１  データ転送装置
２  携帯無線電話
３  携帯無線電話
４  ケーブル
５  ケーブル
１０  プロセッサ
１１  メモリ
１２  メモリ
１３  通信ポート
１４  通信ポート
２０  ディスプレイ
２１  キーパッド
２２  プロセッサ
２３  メモリ
２４  標準通信バスポート
３０  ディスプレイ
３１  キーパッド
３２  プロセッサ
３３  メモリ
３４  標準通信バスポート
【図１】
0003657381.tif 000002
【図２】
0003657381.tif 000003
【図３】
0003657381.tif 000004